(57)【要約】【課題】外部記憶装置へのコンテンツデータの記憶が滞ることなく行われることをチェック可能とする。【解決手段】実施形態の放送受信装置は、コンテンツデータを受信する受信手段と、外部記憶装置と接続する接続手段と、接続された外部記憶装置に受信されたコンテンツデータを記憶させるコンテンツ記憶手段と、接続された外部記憶装置の中で少なくとも一つの外部記憶装置がコンテンツデータを変換する変換手段を有する場合に、一つの外部記憶装置にテスト用のコンテンツデータを送信し、コンテンツデータを変換手段で変換して接続された外部記憶装置に記憶させて、コンテンツ記憶手段によるコンテンツ記憶とともに行う動作に対応した時間内にテスト用のコンテンツデータの外部記憶装置への記憶が終了するか否かを判定する判定処理を行う判定処理手段と、判定処理の判定結果を通知する通知手段とを備える。【選択図】図１
2013247573.tif 000002
【特許請求の範囲】
【請求項１】
コンテンツデータを受信する受信手段と、
外部記憶装置と接続する接続手段と、
前記接続された外部記憶装置に前記受信されたコンテンツデータを記憶させるコンテンツ記憶手段と、
前記接続された外部記憶装置の中で少なくとも一つの外部記憶装置が前記コンテンツデータを変換する変換手段を有する場合に、前記一つの外部記憶装置にテスト用のコンテンツデータを送信し、当該コンテンツデータを前記変換手段で変換して前記接続された外部記憶装置に記憶させて、前記コンテンツ記憶手段によるコンテンツ記憶とともに行う動作に対応した時間内に前記テスト用のコンテンツデータの前記外部記憶装置への記憶が終了するか否かを判定する判定処理を行う判定処理手段と、
前記判定処理の判定結果を通知する通知手段と、
を備える放送受信装置。
【請求項２】
前記接続された外部記憶装置にコンテンツデータを記憶させる際に、当該コンテンツデータの保護を行うコンテンツ保護手段を更に備え、
前記判定処理手段は、前記コンテンツ保護手段により前記テスト用のコンテンツデータを保護させて、前記時間内に前記テスト用のコンテンツデータの前記外部記憶装置への記憶が終了するか否かの前記判定処理を行う、
請求項１に記載の放送受信装置。
【請求項３】
前記判定処理手段は、前記判定処理により前記時間内に前記テスト用のコンテンツデータの前記外部記憶装置への記憶が終了しないと判定された場合、前記変換手段で前記テスト用のコンテンツデータを変換する条件を変更して前記判定処理を再び行う、
請求項１又は２に記載の放送受信装置。
【請求項４】
前記判定処理手段は、前記判定処理により前記時間内に前記テスト用のコンテンツデータの前記外部記憶装置への記憶が終了しないと判定された場合、前記コンテンツ記憶とともに行う動作を変更して、前記テスト用のコンテンツデータを前記接続された外部記憶装置に記憶させる前記判定処理を行う、
請求項３に記載の放送受信装置。
【請求項５】
前記通知手段は、前記時間内に前記テスト用のコンテンツデータの前記外部記憶装置への記憶が終了すると判定された場合、前記変換手段で前記テスト用のコンテンツデータを変換する条件、又は前記コンテンツ記憶とともに行う動作を通知する、
請求項４に記載の放送受信装置。
【請求項６】
コンテンツデータを受信する受信手段、外部記憶装置と接続する接続手段、前記接続された外部記憶装置に前記受信されたコンテンツデータを記憶させるコンテンツ記憶手段を有する放送受信装置において前記外部記憶装置をチェックする方法であって、
前記接続された外部記憶装置の中で少なくとも一つの外部記憶装置が前記コンテンツデータを変換する変換手段を有する場合に、前記一つの外部記憶装置にテスト用のコンテンツデータを送信し、当該コンテンツデータを前記変換手段で変換して前記接続された外部記憶装置に記憶させて、前記コンテンツ記憶とともに行う動作に対応した時間内に前記テスト用のコンテンツデータの前記外部記憶装置への記憶が終了するか否かを判定する判定処理を行い、当該判定処理の判定結果を通知する方法。
【発明の詳細な説明】
【技術分野】
【０００１】
本発明の実施形態は、放送受信装置及び方法に関する。
【背景技術】
【０００２】
従来、テレビジョン受信装置、ＨＤＤ（Hard  Disk  Drive）レコーダ、セットトップボックス等の放送受信装置は、地上波デジタル放送、ＢＳデジタル放送等を介して放送されるコンテンツデータを受信し、ＵＳＢ（Universal  Serial  Bus）、ＬＡＮ（Local  Area  Network）等を介して接続されたＨＤＤ装置等の外部記憶装置に受信したコンテンツデータを記憶するものがある。
【０００３】
また、放送受信装置と接続可能な外部記憶装置には、コンテンツデータのビットレート等を変換するトランスコード機能が内蔵されたものがある。このトランスコード機能が内蔵された外部記憶装置では、例えば放送受信装置から伝送されたコンテンツデータのビットレートを外部記憶装置側で変更して記憶することができる。
【先行技術文献】
【特許文献】
【０００４】
【特許文献１】特開２００９−１８８６９０号公報
【発明の概要】
【発明が解決しようとする課題】
【０００５】
ところで、放送受信装置には、複数チャンネルに跨った同時録画やコンテンツデータの視聴など、外部記憶装置へのコンテンツデータの記憶以外の動作を並行して行う場合がある。しかしながら、上述した従来技術では、トランスコード機能が内蔵された外部記憶装置側でトランスコードしてコンテンツデータを記憶する際に、同時録画やコンテンツデータの視聴などの動作を並行して行う場合の動作チェックができないため、外部記憶装置へのコンテンツデータの記憶が滞ることがあった。
【０００６】
例えば、外部記憶装置へコンテンツデータを記憶する際には、著作権保護などのためにコンテンツデータの暗号化が行われる。このため、著作権保護を行いつつトランスコード機能が内蔵された外部記憶装置側でトランスコードしてコンテンツデータを記憶する場合は、トランスコード機能が内蔵された外部記憶装置との通信により伝送帯域が広く占有されることがあり、別の外部記憶装置への同時録画を行う場合にコンテンツデータの転送が滞るなどして、コンテンツデータの記憶が滞ることがある。
【０００７】
本発明は、上記に鑑みてなされたものであって、トランスコード機能が内蔵された外部記憶装置側でトランスコードしてコンテンツデータを記憶する際に、外部記憶装置へのコンテンツデータの記憶が滞ることなく行われることをチェック可能な放送受信装置及び方法を提供することを目的とする。
【課題を解決するための手段】
【０００８】
上述した課題を解決し、目的を達成するために、実施形態の放送受信装置は、コンテンツデータを受信する受信手段と、外部記憶装置と接続する接続手段と、前記接続された外部記憶装置に前記受信されたコンテンツデータを記憶させるコンテンツ記憶手段と、前記接続された外部記憶装置の中で少なくとも一つの外部記憶装置が前記コンテンツデータを変換する変換手段を有する場合に、前記一つの外部記憶装置にテスト用のコンテンツデータを送信し、当該コンテンツデータを前記変換手段で変換して前記接続された外部記憶装置に記憶させて、前記コンテンツ記憶手段によるコンテンツ記憶とともに行う動作に対応した時間内に前記テスト用のコンテンツデータの前記外部記憶装置への記憶が終了するか否かを判定する判定処理を行う判定処理手段と、前記判定処理の判定結果を通知する通知手段と、を備える。
【０００９】
また、実施形態の方法は、コンテンツデータを受信する受信手段、外部記憶装置と接続する接続手段、前記接続された外部記憶装置に前記受信されたコンテンツデータを記憶させるコンテンツ記憶手段を有する放送受信装置において前記外部記憶装置をチェックする方法であって、前記接続された外部記憶装置の中で少なくとも一つの外部記憶装置が前記コンテンツデータを変換する変換手段を有する場合に、前記一つの外部記憶装置にテスト用のコンテンツデータを送信し、当該コンテンツデータを前記変換手段で変換して前記接続された外部記憶装置に記憶させて、前記コンテンツ記憶手段によるコンテンツ記憶とともに行う動作に対応した時間内に前記テスト用のコンテンツデータの前記外部記憶装置への記憶が終了するか否かを判定する判定処理を行い、当該判定処理の判定結果を通知する。
【図面の簡単な説明】
【００１０】
【図１】図１は、実施形態にかかる放送受信装置と、ＨＤＤ装置とのシステムの一例を示す概念図である。
【図２】図２は、実施形態にかかる放送受信装置のハードウエア構成の一例を示すブロック図である。
【図３】図３は、ＨＤＤ装置のハードウエア構成の一例を示すブロック図である。
【図４】図４は、ＨＤＤ装置側でトランスコードしてコンテンツデータを記憶する場合の動作の一例を示すラダーチャートである。
【図５】図５は、実施形態にかかる放送受信装置の動作の一例を示すフローチャートである。
【発明を実施するための形態】
【００１１】
以下、添付図面を参照して実施形態の放送受信装置及び方法を詳細に説明する。図１は、実施形態にかかる放送受信装置１と、ＨＤＤ装置２とのシステムの一例を示す概念図である。
【００１２】
図１に示すように、放送受信装置１は、ＵＳＢ、ＬＡＮ等の伝送路ＮＴを介してＨＤＤ装置２と互いに通信可能に接続される。ここで、放送受信装置１は、地上波デジタル放送、ＢＳデジタル放送、ＩＰＴＶ放送等を介して放送される番組（コンテンツデータ）を受信する機器であり、テレビジョン受信装置、ＨＤＤレコーダ、セットトップボックス等であってよい。本実施形態では、放送受信装置１をテレビジョン受信装置として説明する。
【００１３】
ＨＤＤ装置２は、伝送路ＮＴを介して放送受信装置１と接続する外部記憶装置であり、放送受信装置１より送信されたデータを記憶する。具体的には、ＨＤＤ装置２は、放送受信装置１が受信したコンテンツデータを記憶する。ＨＤＤ装置２には、コンテンツデータを変換するトランスコード機能が内蔵されたＨＤＤ装置２ａと、トランスコード機能が内蔵されていないＨＤＤ装置２ｂとがある（詳細は後述する）。
【００１４】
図２は、実施形態にかかる放送受信装置１のハードウエア構成の一例を示すブロック図である。図２に示すように、放送受信装置１は、コンテンツデータを含む放送信号をＲＦチューナ３で受信し、受信した放送信号に含まれるコンテンツデータをもとに、ＬＣＤ９（Liquid  Crystal  Display）による映像の表示、及びスピーカ１１による音声出力による視聴、コンテンツデータのＨＤＤ５への録画（記憶）、又はＩ／Ｆ３１を介して接続するＨＤＤ装置２への記憶などを行う装置である。なお、放送受信装置１は、ＲＦチューナ３を複数備え、複数チャンネルの同時受信、受信した各チャンネルにおけるコンテンツデータの同時録画や視聴及び録画などが可能であってよい。
【００１５】
具体的には、放送受信装置１は、上述したＲＦチューナ３、ＨＤＤ５、ＬＣＤ９、スピーカ１１、Ｉ／Ｆ３１の他、暗号処理部１７、復調部１９、ＴＳ−ＤＥＭＵＸ２１、Ｖｉｄｅｏデコーダ２３、映像出力部２５、Ａｕｄｉｏデコーダ２７、音声出力部２９、制御部３３、リモコンＩ／Ｆ３５、画像生成部３７、トランスコード性能判定処理部３９を備える。
【００１６】
暗号処理部１７は、コンテンツの著作権保護のため、制御部３３の制御のもと、コンテンツデータの暗号化／復号の暗号処理を行う。放送受信装置１が受信したコンテンツデータについては、例えばＡＲＩＢ（Association  of  Radio  Industries  and  Businesses）規格などに従って、受信した機器でのみ利用できるようにコンテンツデータを保護するという条件の下で、視聴や記憶が認められている。このコンテンツデータの保護を実現するため、暗号処理部１７は、受信したコンテンツデータのＨＤＤ５、ＨＤＤ装置２への記憶時にコンテンツデータの暗号化を行い、ＨＤＤ５、ＨＤＤ装置２に記憶されたコンテンツデータの視聴時に暗号化されたコンテンツデータを復号する。
【００１７】
復調部１９は、受信した放送信号の復調などの信号処理を行う。ＴＳ−ＤＥＭＵＸ２１は、復調された放送信号に含まれるコンテンツデータから映像データ及び音声データを分離する。Ｖｉｄｅｏデコーダ２３は、ＴＳ−ＤＥＭＵＸ２１で分離された映像データをデコードする。映像出力部２５は、Ｖｉｄｅｏデコーダ２３でデコードされた映像データをＬＣＤ９に出力する。Ａｕｄｉｏデコーダ２７は、ＴＳ−ＤＥＭＵＸ２１で分離された音声データをデコードする。音声出力部２９は、Ａｕｄｉｏデコーダ２７でデコードされた音声データをスピーカ１１に出力する。
【００１８】
制御部３３は、ＣＰＵ（Central  Processing  Unit）、ＲＯＭ（Read  Only  Memory）、ＲＡＭ（Random  Access  Memory）などを備え（いずれも図示しない）、ＣＰＵがＲＯＭに記憶されたプログラムをＲＡＭに展開して順次実行することで、放送受信装置１の各部における動作を制御する。具体的には、制御部３３は、ＬＣＤ９による映像の表示、及びスピーカ１１による音声出力によるコンテンツデータの視聴、コンテンツデータのＨＤＤ５への録画（記憶）、又はＩ／Ｆ３１を介して接続するＨＤＤ装置２への記憶などの放送受信装置１における各種動作を統括制御する。
【００１９】
リモコンＩ／Ｆ３５は、ユーザの操作を受け付けるリモートコントローラ（図示しない）と通信するインターフェースである。放送受信装置１では、リモートコントローラからの通知をリモコンＩ／Ｆ３５を介して受信し、ユーザの操作指示を受け付ける。
【００２０】
画像生成部３７は、制御部３３の制御のもと、各種情報を表示する表示ウインドウや、ＧＵＩ（Graphical  User  Interface）表示画面等の画像データを生成する。画像生成部３７により生成された画像データは、映像出力部２５を介してＬＣＤ９に出力される。この時、映像データを表示している場合には、生成された画像データを映像データに重畳して表示するＯＳＤ（On-Screen  Display）表示が行われる。
【００２１】
トランスコード性能判定処理部３９は、制御部３３の制御のもと、Ｉ／Ｆ３１を介して接続するＨＤＤ装置２の中にトランスコード機能が内蔵されたＨＤＤ装置２ａがある場合、そのトランスコード機能を用いたコンテンツデータの記憶について性能を評価するためのトランスコード性能判定処理を行う（詳細は後述する）。
【００２２】
図３は、ＨＤＤ装置２ａのハードウエア構成の一例を示すブロック図である。図３に示すように、ＨＤＤ装置２ａは、外部機器Ｉ／Ｆ部４１、制御部４３、ＨＤＤ４５、暗号処理部４７、トランスコード処理部４９を備える。ここで、ＨＤＤ装置２ｂは、トランスコード機能が内蔵されていないことから、外部機器Ｉ／Ｆ部４１、制御部４３、ＨＤＤ４５を備える構成であればよい。
【００２３】
外部機器Ｉ／Ｆ部４１は、放送受信装置１と伝送路ＮＴを介して放送受信装置１と接続するための通信インターフェースである。制御部４３は、ＨＤＤ装置２ａの動作を制御するマイクロコントローラなどである。制御部４３は、外部機器Ｉ／Ｆ部４１を介して放送受信装置１より通知される制御コマンドに従ってＨＤＤ装置２ａの各部の動作を制御する。
【００２４】
ＨＤＤ４５は、例えば３．５インチの密閉型ハードディスクドライブである。ＨＤＤ４５は、制御部４３の制御のもと、放送受信装置１より送信されたコンテンツデータをＨＤＤ４５に記憶する。なお、放送受信装置１より送信されたコンテンツデータは、放送受信装置１より通知される制御コマンドに従い、放送受信装置１より送信されたコンテンツデータをそのままＨＤＤ４５に記憶してもよいし、放送受信装置１より送信されたコンテンツデータを暗号処理部４７で復号してトランスコード処理部４９でトランスコード処理を行った後にＨＤＤ４５に記憶してもよい。
【００２５】
暗号処理部４７は、コンテンツデータの暗号化／復号の暗号処理を行う。この暗号処理部４７による暗号処理は、ＨＤＤ装置２ａのトランスコード処理部４９を用いる際に、放送受信装置１とＨＤＤ装置２ａとの間の伝送路ＮＴにおいてコンテンツデータを保護するために行う。具体的には、暗号処理部４７は、放送受信装置１から暗号化されて送信されるコンテンツデータを復号し、トランスコード後のコンテンツデータを放送受信装置１に戻す際に暗号化する。
【００２６】
トランスコード処理部４９は、放送受信装置１より送信されたコンテンツデータにトランスコード処理を行う。このトランスコード処理の一例としては、放送受信装置１より送信されたＭＰＥＧ（Moving  Picture  Experts  Group）−２形式のトランスポートストリーム（コンテンツデータ）をＨ．２６４に準拠したデータに変換する処理などがある。また、トランスコード処理は、コンテンツデータに含まれる映像のアップコンバート処理などであってもよい。本実施形態では、ＭＰＥＧ−２形式のコンテンツデータをＨ．２６４に準拠したデータに変換する場合を例示する。
【００２７】
ここで、トランスコード処理部４９におけるトランスコード処理のパラメータは、放送受信装置１より通知された制御コマンドによる制御部４３の制御のもとで調整可能であってよい。具体的には、ＭＰＥＧ−２形式のコンテンツデータをＨ．２６４に準拠したデータに変換する際の圧縮率（ビットレート）、コンテンツデータに含まれる映像をアップコンバートする際の画面サイズと解像度などの値が、パラメータとして、トランスコード処理部４９におけるトランスコード処理の仕様の範囲で調整できる。
【００２８】
次に、放送受信装置１よりＨＤＤ装置２ａにコンテンツデータを送信して、ＨＤＤ装置２ａ側でトランスコード処理を行い、トランスコード処理後のコンテンツデータをＨＤＤ装置２ａのＨＤＤ４５へ記憶する場合の処理の流れを説明する。
【００２９】
図４は、ＨＤＤ装置２ａ側でトランスコードしてコンテンツデータを記憶する場合の動作の一例を示すラダーチャートである。図４に示すように、放送受信装置１の制御部３３の制御の下で処理が開始されると、放送受信装置１とＨＤＤ装置２ａとの間でコンテンツデータを暗号化して送受信する第１の暗号のため、放送受信装置１の暗号処理部１７とＨＤＤ装置２ａの暗号処理部４７における鍵（暗号鍵）の共有処理を行う（Ｓ１、Ｓ２）。放送受信装置１では、この第１の暗号でコンテンツデータの暗号化／復号を行うことで、ＨＤＤ装置２ａ側でトランスコード処理を行う際に送受信されるコンテンツデータを保護する。
【００３０】
次いで、放送受信装置１の暗号処理部１７は、ＨＤＤ装置２ａによりトランスコード処理が行われた後のコンテンツデータを暗号化してＨＤＤ４５へ記憶する第２の暗号化のための鍵（暗号鍵）を生成する（Ｓ３）。この第２の暗号化のための鍵は、トランスコード処理後においてＨＤＤ装置２ａに記憶するコンテンツデータを、放送受信装置１でのみ視聴ができるように保護するため、第１の暗号のようにＨＤＤ装置２ａとの間で鍵の共有は行われない。
【００３１】
次いで、放送受信装置１の暗号処理部１７は、ＲＦチューナ３で受信されたコンテンツデータを取得し（Ｓ４）、取得されたコンテンツデータを第１の暗号での暗号化を行う（Ｓ５）。この第１の暗号で暗号化されたコンテンツデータは、Ｉ／Ｆ３１を介してＨＤＤ装置２ａへ送信される。
【００３２】
ＨＤＤ装置２ａの暗号処理部４７は、放送受信装置１より送信されたコンテンツデータを第１の暗号で復号する（Ｓ６）。次いで、ＨＤＤ装置２ａのトランスコード処理部４９は、第１の暗号で復号されたコンテンツデータをＭＰＥＧ−２→Ｈ．２６４に変換するトランスコード処理を行う（Ｓ７）。次いで、ＨＤＤ装置２ａの暗号処理部４７は、トランスコード処理後のコンテンツデータを第１の暗号で暗号化する（Ｓ８）。この第１の暗号で暗号化されたコンテンツデータは、外部機器Ｉ／Ｆ部４１を介して放送受信装置１へ送信される。
【００３３】
放送受信装置１の暗号処理部１７は、ＨＤＤ装置２ａより送信されたコンテンツデータを第１の暗号で復号する（Ｓ９）。したがって、ＨＤＤ装置２ａ側でトランスコード処理を行う際に送受信されるコンテンツデータは第１の暗号で暗号化されて保護されることとなる。
【００３４】
次いで、放送受信装置１の暗号処理部１７は、第１の暗号で復号されたコンテンツデータを第２の暗号で暗号化する（Ｓ１０）。この第２の暗号で暗号化されたコンテンツデータは、Ｉ／Ｆ３１を介してＨＤＤ装置２ａへ送信される。ＨＤＤ装置２ａの制御部４３は、放送受信装置１より送信されたコンテンツデータをＨＤＤ４５へ記憶する（Ｓ１１）。ここで、放送受信装置１の制御部３３は、全てのコンテンツデータ分の伝送が完了したか否かを判定し（Ｓ１２）、すべての伝送が完了していない場合（ＮＯ）はＳ４へ処理を戻す。
【００３５】
上述したように、ＨＤＤ装置２ａ側でトランスコード処理を行い、トランスコード処理後のコンテンツデータをＨＤＤ装置２ａのＨＤＤ４５へ記憶する場合には、第１の暗号で暗号化したコンテンツデータのＨＤＤ装置２ａへの送信と、トランスコード処理後に第１の暗号で暗号化したコンテンツデータの放送受信装置１への返信が行われ、第２の暗号で暗号化したコンテンツデータのＨＤＤ装置２ａへの送信が行われるため、放送受信装置１とＨＤＤ装置２ａとの通信で伝送帯域が広く占有されることがある。
【００３６】
例えば、トランスコード処理における圧縮率が低く、トランスコード処理の前後でコンテンツデータのビットレートがあまり変わらない場合には、放送受信装置１とＨＤＤ装置２ａとの通信による伝送帯域の占有率が高くなる。逆に、トランスコード処理における圧縮率が高く、トランスコード処理の前後でコンテンツデータのビットレートが大きく変わる場合には、放送受信装置１とＨＤＤ装置２ａとの通信による伝送帯域の占有率が低くなる。したがって、ＨＤＤ装置２ａとは別のＨＤＤ装置２ｂへの同時録画を行うなどの、所定の動作をＨＤＤ装置２ａへのコンテンツデータの記憶と並行する場合には、ＨＤＤ装置２ａのトランスコード処理により（例えば圧縮率が高い場合に）、コンテンツデータの転送が滞るなどして、コンテンツデータの記憶が滞ることがある。
【００３７】
図５は、実施形態にかかる放送受信装置１の動作の一例を示すフローチャートであり、より具体的には、トランスコード性能判定処理部３９においてトランスコード性能判定処理を行う際の放送受信装置１の動作を示している。
【００３８】
図５に示すように、トランスコード性能判定処理が開始されると、トランスコード性能判定処理部３９は、Ｉ／Ｆ３１を介して接続されているＨＤＤ装置２を調べる（Ｓ２０）。例えば、トランスコード性能判定処理部３９は、Ｉ／Ｆ３１と接続するＨＤＤ装置２にポーリングを行なって、通信接続されたＨＤＤ装置２より型番や識別情報などの情報を収集する。
【００３９】
次いで、トランスコード性能判定処理部３９は、収集した型番や識別情報などをもとに、予めＲＯＭなどに記憶されたトランスコード機能を内蔵したＨＤＤ装置２ａを示す情報を参照して、トランスコード機能を内蔵したＨＤＤ装置２ａが放送受信装置１に接続されているか否かを判定する（Ｓ２１）。トランスコード機能を内蔵したＨＤＤ装置２ａが放送受信装置１に接続されていない場合（Ｓ２１：ＮＯ）は、トランスコード性能判定にかかるＳ２２〜Ｓ２９の処理を行う必要がないことから、Ｓ３０へ処理を進める。
【００４０】
トランスコード機能を内蔵したＨＤＤ装置２ａが放送受信装置１に接続されている場合（Ｓ２１：ＹＥＳ）、トランスコード性能判定処理部３９は、接続されているＨＤＤ装置２ａよりトランスコード録画（処理）で調整可能なパラメータ情報を収集する（Ｓ２２）。具体的には、ＨＤＤ装置２ａに制御コマンドを送信して、ＨＤＤ装置２ａのトランスコード処理部４９におけるトランスコード処理で調整可能なパラメータをＨＤＤ装置２ａより収集する。
【００４１】
次いで、トランスコード性能判定処理部３９は、ＨＤＤ装置２ａによるトランスコード録画と同時に動作する放送受信装置１の機能（動作）の中で負荷の高い機能を１組以上選択する（Ｓ２３）。具体的には、トランスコード性能判定処理部３９は、ＨＤＤ装置２ａによるトランスコード録画とは別チャンネルのコンテンツデータのＨＤＤ装置２ｂへの同時録画や、視聴などの所定の動作の中で、負荷の高い動作を１組以上選択する。トランスコード録画と同時に行う放送受信装置１の動作については、負荷の高い順にＲＯＭなどに予め設定されており、トランスコード性能判定処理部３９は、このＲＯＭに設定されたデータを読み出して、放送受信装置１の動作の選択を行う。
【００４２】
例えば、トランスコード録画と同時に行う放送受信装置１の動作として、ＨＤＤ装置２ｂへの同時録画（放送受信装置１によるトランスコードあり）、ＨＤＤ装置２ｂへの同時録画（放送受信装置１によるトランスコードなし）、同時視聴があるものとする。これら放送受信装置１の動作の中で、ＨＤＤ装置２ｂへの同時録画（放送受信装置１によるトランスコードあり）が、同時視聴などの動作に比べて、放送受信装置１によるトランスコード処理、コンテンツデータの保護のための暗号処理、ＨＤＤ装置２ｂとの間の通信などによる処理負荷が大きいことから、放送受信装置１の動作として選択される。
【００４３】
次いで、トランスコード性能判定処理部３９は、ダミーのコンテンツデータによるトランスコード録画のテストを実施する（Ｓ２４）。このダミーのコンテンツデータとは、トランスコード録画をテストするために予め作成された所定のビットレートのコンテンツデータであり、ＲＯＭなどに予め記憶されている。また、ダミーのコンテンツデータは、外部の記憶媒体から読み出して得るようにしてもよいし、所定のアルゴリズムに基づいて生成するようにしてもよい。
【００４４】
Ｓ２４では、トランスコード性能判定処理部３９の制御のもと、図４に示したように、第１の暗号の鍵共有処理（Ｓ１、Ｓ２）と、第２の暗号化のための鍵生成を行い（Ｓ３）、ＲＯＭなどに予め記憶されているダミーのコンテンツデータを取得する（Ｓ４）。次いで、ＲＴＣ（Real  Time  Clock）機能などによる計時を開始し、Ｓ５〜Ｓ１１に例示した処理について、ダミーのコンテンツデータ分の伝送が完了してＨＤＤ４５への記憶が終了（トランスコード録画の完了）するまで（Ｓ１２：ＹＥＳ）の時間を計時する。
【００４５】
次いで、トランスコード性能判定処理部３９は、Ｓ２４で計時した時間をもとに、所定の時間内にトランスコード録画が完了したか否かを判定する（Ｓ２５）。この判定にかかる所定の時間は、放送受信装置１の動作としてＳ２３で選択された（Ｓ２９で変更された）動作とともに、ＨＤＤ装置２ａによるダミーのコンテンツデータのトランスコード録画を行う場合に、滞り無くそのトランスコード録画が完了する処理時間として予め見積もられた閾値である。この閾値は、放送受信装置１の動作ごとにＲＯＭなどに予め記憶されている。例えば、ＨＤＤ装置２ｂへの同時録画（放送受信装置１によるトランスコードあり）などの処理負荷が大きい放送受信装置１の動作については、ＨＤＤ装置２ａによるトランスコード録画に割り当てられる処理時間は短くなることから、同時視聴などの処理負荷が小さい放送受信装置１の動作よりも小さい値が閾値として設定される。
【００４６】
このように、Ｓ２５では、放送受信装置１の動作としてＳ２３で選択された（Ｓ２９で変更された）動作とともに、ＨＤＤ装置２ａによるダミーのコンテンツデータのトランスコード録画を行う場合に、滞り無くそのトランスコード録画が完了する処理時間として予め見積もられた時間内にダミーのコンテンツデータのトランスコード録画が完了したか否かを判定することで、ＨＤＤ装置２ａのトランスコード機能を用いたコンテンツデータの記憶が滞りなく行われるか否かをチェックする。このチェック結果（判定結果）は、テストを行った際のトランスコード処理部４９のパラメータ及びＳ２３で選択された（Ｓ２９で変更された）放送受信装置１の動作とともに、ＲＡＭの作業領域に一時記憶される。
【００４７】
なお、本実施形態では、放送受信装置１の動作に対応して見積もられた閾値をもとに、ＨＤＤ装置２ａのトランスコード機能を用いたコンテンツデータの記憶が滞りなく行われるか否かをチェックしている。しかしながら、Ｓ２４、Ｓ２５におけるトランスコード録画の評価を行う際に、放送受信装置１の動作としてＳ２３で選択された（Ｓ２９で変更された）動作を実際に行い、ダミーのコンテンツデータのビットレートに対応した時間内にトランスコード録画が完了したか否かを判定してもよいことは言うまでもないことである。
【００４８】
所定の時間内にトランスコード録画が完了した場合（Ｓ２５：ＹＥＳ）は、放送受信装置１の動作としてＳ２３で選択された（Ｓ２９で変更された）動作とともに、ＨＤＤ装置２ａによるトランスコード録画を滞り無く行うことができることから、Ｓ３０へ処理を進める。
【００４９】
所定の時間内にトランスコード録画が完了しなかった場合（Ｓ２５：ＮＯ）は、放送受信装置１の動作としてＳ２３で選択された（Ｓ２９で変更された）動作とともに、ＨＤＤ装置２ａによるトランスコード録画を行った場合は、処理が滞ることとなる。この場合、トランスコード性能判定処理部３９は、Ｓ２２で収集したパラメータ情報をもとに、未テストで調整可能なトランスコード処理部４９におけるパラメータがあるか否かを判定する（Ｓ２６）。具体的には、テスト済みのパラメータについてはＳ２５における判定結果をＲＡＭなどに記憶しておき、未だにＲＡＭに記憶されていないパラメータが収集したパラメータ情報に記述されているか否かを判定する。
【００５０】
調整可能なパラメータがある場合（Ｓ２６：ＹＥＳ）、トランスコード性能判定処理部３９は、ＨＤＤ装置２ａに制御コマンドを通知して、トランスコード処理部４９におけるパラメータを変更し（Ｓ２７）、Ｓ２４へ処理を戻す。具体的には、トランスコード処理部４９における圧縮率（ビットレート）を別のパラメータに変更する。これにより、トランスコード処理部４９におけるパラメータを変更した別の条件で、Ｓ２４、Ｓ２５におけるトランスコード録画の評価を再び行うことができる。
【００５１】
調整可能なパラメータがない場合（Ｓ２６：ＮＯ）、トランスコード性能判定処理部３９は、ＨＤＤ装置２ａによるトランスコード録画と同時に行う放送受信装置１の機能（動作）の中で、未テストの動作の組み合わせがあるか否かを判定する（Ｓ２８）。未テストの動作の組み合わせがある場合（Ｓ２８：ＹＥＳ）別の動作の組み合わせに変更し（Ｓ２９）、Ｓ２４へ処理を戻す。
【００５２】
具体的には、ＨＤＤ装置２ｂへの同時録画（放送受信装置１によるトランスコードあり）がテスト済みであり、ＨＤＤ装置２ｂへの同時録画（放送受信装置１によるトランスコードなし）、同時視聴が未テストである場合は、次に処理負荷の高いＨＤＤ装置２ｂへの同時録画（放送受信装置１によるトランスコードなし）に変更する。これにより、ＨＤＤ装置２ａによるトランスコード録画と同時に行う動作を変更した別の条件で、Ｓ２４、Ｓ２５におけるトランスコード録画の評価を再び行うことができる。
【００５３】
Ｓ２１：ＮＯ、Ｓ２５：ＹＥＳ、Ｓ２８：ＮＯの場合に次いで、制御部３３は、Ｓ２０〜Ｓ２９の処理により得られた結果をＬＣＤ９より表示させる（Ｓ３０）。具体的には、Ｓ２１：ＮＯの場合には、Ｓ２０において調べられた放送受信装置１に接続するＨＤＤ装置２の一覧などとともに、トランスコード機能を内蔵したＨＤＤ装置２ａが放送受信装置１に接続されていない画像を画像生成部３７に生成させてＬＣＤ９より表示させる。また、Ｓ２５：ＹＥＳの場合には、ＲＡＭの作業領域に一時記憶されたデータをもとに、ＨＤＤ装置２ａのトランスコード機能を用いたコンテンツデータの記憶が滞りなく行われると評価されたトランスコード処理部４９のパラメータ及び放送受信装置１の同時動作を示す画像を画像生成部３７に生成させてＬＣＤ９より表示させる。このため、ユーザは、ＨＤＤ装置２ａのトランスコード機能を用いたコンテンツデータの記憶が滞りなく行われるための、トランスコード処理部４９のパラメータ及び放送受信装置１の同時動作の条件を知ることができる。また、Ｓ２８：ＮＯの場合には、ＨＤＤ装置２ａのトランスコード機能を用いたコンテンツデータの記憶が滞りなく行われるための、トランスコード処理部４９のパラメータ及び放送受信装置１の同時動作の条件がないことを示す画像を画像生成部３７に生成させてＬＣＤ９より表示させる。
【００５４】
次いで、制御部３３は、リモコンＩ／Ｆ３５を介してリモートコントローラからの通知を受信し、ユーザの操作指示を受け付けて、ＨＤＤ装置２ａのトランスコード録画の設定を行い（Ｓ３１）、処理を終了する。このトランスコード録画の設定において、ユーザは、ＨＤＤ装置２ａのトランスコード機能を用いたコンテンツデータの記憶が滞りなく行われるための、トランスコード処理部４９のパラメータ及び放送受信装置１の同時動作の条件を指定できることから、トランスコード録画が滞ることのない、的確な設定を行うことができる。
【００５５】
なお、本実施形態では、ＨＤＤ装置２ａのトランスコード機能を用いて変換したコンテンツデータをＨＤＤ装置２ａに記憶する構成を例示した。しかしながら、コンテンツデータの記憶を行う際にＨＤＤ装置２ａのトランスコード機能を用いるものであればいずれであってもよく、例えば、ＨＤＤ装置２ａのトランスコード機能を用いて変換したコンテンツデータをＨＤＤ装置２ｂなどの別の外部記憶装置へ記憶する場合であってもよい。
【００５６】
なお、本実施形態の放送受信装置１で実行されるプログラムは、ＲＯＭ等に予め組み込まれて提供される。本実施形態の放送受信装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記憶媒体に記憶して提供するように構成してもよい。
【００５７】
さらに、本実施形態の放送受信装置１で実行されるプログラムを、インターネット等のネットワークに接続されたコンピュータ上に格納し、ネットワーク経由でダウンロードさせることにより提供するように構成しても良い。また、本実施形態の放送受信装置１で実行されるプログラムをインターネット等のネットワーク経由で提供または配布するように構成しても良い。
【００５８】
本実施形態の放送受信装置１で実行されるプログラムは、上述した機能構成を含むモジュール構成となっており、実際のハードウェアとしてはＣＰＵ（プロセッサ）が上記ＲＯＭからプログラムを読み出して実行することにより上述した機能構成が主記憶装置上にロードされ、主記憶装置上に生成されるようになっている。
【００５９】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００６０】
１…放送受信装置、２、２ａ、２ｂ…ＨＤＤ装置、３…ＲＦチューナ、５、４５…ＨＤＤ、９…ＬＣＤ、１１…スピーカ、１７、４７…暗号処理部、１９…復調部、２１…ＴＳ−ＤＥＭＵＸ、２３…Ｖｉｄｅｏデコーダ、２５…映像出力部、２７…Ａｕｄｉｏデコーダ、２９…音声出力部、３１…Ｉ／Ｆ、３３、４３…制御部、３５…リモコンＩ／Ｆ、３７…画像生成部、３９…トランスコード性能判定処理部、４１…外部機器Ｉ／Ｆ部、４９…トランスコード処理部、ＮＴ…伝送路
【図１】
2013247573.tif 000003
【図２】
2013247573.tif 000004
【図３】
2013247573.tif 000005
【図４】
2013247573.tif 000006
【図５】
2013247573.tif 000007